【手続補正書】
【提出日】平成28年2月16日(2016.2.16)
【手続補正１】
【補正対象書類名】明細書
【補正対象項目名】０１０８
【補正方法】変更
【補正の内容】
【０１０８】
本発明の好ましい実施形態の幾つかを上記で説明し、具体的に例示してきたが、本発明はこのような実施形態に限定されるものではない。以下の特許請求の範囲に記載の本発明の範囲および精神から逸脱することなく、様々な変更を行うことができる。
本発明のまた別の態様は、以下のとおりであってもよい。
〔１〕顔料と、エチレン酸コポリマーまたは前記エチレン酸コポリマーのアイオノマーとを含む半透明白色ポリマー組成物であって；
前記顔料の屈折率が約１．５〜約２．８であり；
前記顔料はさらに、最小平均径約３８０ｎｍ、メジアン粒径（ｄ５０）０．２ｍｍ未満で、アスペクト比が１に近い粒子から実質的になり；
半透明白色アイオノマー組成物のサンプルは、透過率が９０％未満であり；ヘイズが７５〜１００％であり；Ｌ*値が８０より高く、ａ*値が−０．２〜−１．６の範囲であり、ｂ*値が０．８〜４．０の範囲である、半透明白色ポリマー組成物。
〔２〕前記顔料が、アルミナ三水和物、アルミナ、酸化マグネシウム、アルミン酸ベリリウム、硫酸カルシウム、リン酸亜鉛四水和物、およびムライトからなる群から選択される、前記〔１〕に記載の半透明白色ポリマー組成物。
〔３〕顔料と、エチレン酸コポリマーまたは前記エチレン酸コポリマーのアイオノマーとを含む半透明白色ポリマー組成物であって；
前記顔料が、アルミナ三水和物、アルミナ、酸化マグネシウム、アルミン酸ベリリウム、硫酸カルシウム、リン酸亜鉛四水和物、およびムライトからなる群から選択され；
前記半透明白色アイオノマー組成物のサンプルは、透過率が９０％未満であり；ヘイズが７５〜１００％であり；Ｌ*値が８０より高く、ａ*値が−０．２〜−１．６の範囲であり、ｂ*値が０．８〜４．０の範囲である、半透明白色ポリマー組成物。
〔４〕前記顔料は、最小平均径約３８０ｎｍ、メジアン粒径（ｄ５０）０．２ｍｍ未満で、アスペクト比が１に近い粒子から実質的になる、前記〔１３〕に記載の半透明白色ポリマー組成物。
〔５〕前記エチレン酸コポリマーが、炭素数２〜１０のα−オレフィンの共重合単位と；炭素数３〜８のα，β−エチレン性不飽和カルボン酸の共重合単位約８〜約３０重量％と；任意選択により、炭素数２〜１０の不飽和カルボン酸および前記不飽和カルボン酸の誘導体からなる群から選択される１種以上の追加のコモノマーの共重合単位とを含む、前記〔１〕または〔３〕に記載の半透明白色ポリマー組成物。
〔６〕前記エチレン酸コポリマーが、エチレンの共重合単位と；アクリル酸、メタクリル酸、またはアクリル酸とメタクリル酸との組み合わせの共重合単位の共重合単位約８〜約３０重量％と；任意選択により、１種以上の不飽和カルボン酸の誘導体からなる群から選択される１種以上の追加のコモノマーの共重合単位であって、前記不飽和カルボン酸の炭素数が２〜１０であり、前記誘導体が酸無水物、アミドおよびエステルからなる群から選択される追加のコモノマーの共重合単位とを含む、前記〔１〕または〔３〕に記載の半透明白色ポリマー組成物。
〔７〕前記アイオノマーを含み、前記エチレン酸コポリマーの全カルボン酸含有量に基づき前記カルボン酸基の約５％〜約９０％が中和されている、前記〔１〕または〔３〕に記載の半透明白色ポリマー組成物。
〔８〕前記半透明白色ポリマー組成物の全重量に基づき、前記顔料約１．０〜約１０．０重量％と、前記ポリマー樹脂約９９〜約９０重量％と含む、前記〔１〕または〔３〕に記載の半透明白色ポリマー組成物。
〔９〕厚さ約１．６ｍｍの前記半透明白色ポリマー組成物のサンプルは、透過率が約５６％〜約７５％であり；ヘイズが約９０％〜約１００％であり；透明度が約１０〜約３０％である、前記〔１〕または〔３〕に記載の半透明白色ポリマー組成物。
〔１０〕厚さ約１．６ｍｍの前記半透明白色ポリマー組成物のサンプルは、透過率が約８０％〜約９０％であり；ヘイズが約７５％〜約８５％であり；透明度が約７０％〜約８６％である、前記〔１〕または〔３〕に記載の半透明白色ポリマー組成物。
〔１１〕前記〔１〕または〔３〕に記載の半透明白色ポリマー組成物を含む成形品。
〔１２〕中間層を含むガラス積層体であって、前記中間層が前記〔１〕または〔３〕に記載の半透明白色ポリマー組成物を含むガラス積層体。
〔１３〕中間層を含む安全ガラス積層体であって、前記中間層が前記〔１〕または〔３〕に記載の半透明白色ポリマー組成物を含む安全ガラス積層体。
〔１４〕中間層を含む構造用ガラス積層体であって、前記中間層が前記〔１〕または〔３〕に記載の半透明白色ポリマー組成物を含む構造用ガラス積層体。
【手続補正２】
【補正対象書類名】特許請求の範囲
【補正対象項目名】全文
【補正方法】変更
【補正の内容】
【特許請求の範囲】
【請求項１】
顔料と、エチレン酸コポリマーまたは前記エチレン酸コポリマーのアイオノマーとを含む半透明白色ポリマー組成物であって；
前記顔料の屈折率が約１．５〜約２．８であり；
前記顔料はさらに、最小平均径約３８０ｎｍ、メジアン粒径（ｄ５０）０．２ｍｍ未満で、アスペクト比が１に近い粒子から実質的になり；
半透明白色アイオノマー組成物のサンプルは、透過率が９０％未満であり；ヘイズが７５〜１００％であり；Ｌ*値が８０より高く、ａ*値が−０．２〜−１．６の範囲であり、ｂ*値が０．８〜４．０の範囲である、半透明白色ポリマー組成物。
【請求項２】
顔料と、エチレン酸コポリマーまたは前記エチレン酸コポリマーのアイオノマーとを含む半透明白色ポリマー組成物であって；
前記顔料が、アルミナ三水和物、アルミナ、酸化マグネシウム、アルミン酸ベリリウム、硫酸カルシウム、リン酸亜鉛四水和物、およびムライトからなる群から選択され；
前記半透明白色アイオノマー組成物のサンプルは、透過率が９０％未満であり；ヘイズが７５〜１００％であり；Ｌ*値が８０より高く、ａ*値が−０．２〜−１．６の範囲であり、ｂ*値が０．８〜４．０の範囲である、半透明白色ポリマー組成物。
【請求項３】
前記エチレン酸コポリマーが、エチレンの共重合単位と；アクリル酸、メタクリル酸、またはアクリル酸とメタクリル酸との組み合わせの共重合単位の共重合単位約８〜約３０重量％とを含み；１種以上の不飽和カルボン酸の誘導体からなる群から選択される１種以上の追加のコモノマーの共重合単位であって、前記不飽和カルボン酸の炭素数が２〜１０であり、前記誘導体が酸無水物、アミドおよびエステルからなる群から選択される追加のコモノマーの共重合単位とを含んでもよい、請求項１または２に記載の半透明白色ポリマー組成物。
【請求項４】
前記アイオノマーを含み、前記エチレン酸コポリマーの全カルボン酸含有量に基づき前記カルボン酸基の約５％〜約９０％が中和されている、請求項１または２に記載の半透明白色ポリマー組成物。
【請求項５】
厚さ約１．６ｍｍの前記半透明白色ポリマー組成物のサンプルは、透過率が約５６％〜約７５％であり；ヘイズが約９０％〜約１００％であり；透明度が約１０〜約３０％である、請求項１または２に記載の半透明白色ポリマー組成物。
【請求項６】
厚さ約１．６ｍｍの前記半透明白色ポリマー組成物のサンプルは、透過率が約８０％〜約９０％であり；ヘイズが約７５％〜約８５％であり；透明度が約７０％〜約８６％である、請求項１または２に記載の半透明白色ポリマー組成物。
【請求項７】
請求項１または２に記載の半透明白色ポリマー組成物を含む成形品。
【請求項８】
中間層を含むガラス積層体であって、前記中間層が請求項１または２に記載の半透明白色ポリマー組成物を含むガラス積層体。